(57)【要約】【課題】部品点数を少なくでき、取付用物品と線バネとの連結作業及び分解作業を容易に行うことができる天井取付体を提供する。【解決手段】天井取付用照明器具は、光源を覆うグローブ５と、一対の線バネ６と、グローブ５と線バネ６とを連結させる一対の連結部材７と、を備えている。グローブ５には、連結部材７を係止させるための貫通孔５６が形成されている。連結部材７は、１本の針金が曲げられて構成されている。連結部材７は、線バネ６のリング部６１に通されるリング支持部７１と、針金の両端部分でそれぞれＬ字状に形成され、貫通孔５６の縁に係止する一対の係止部７６と、リング支持部７１の一端部７１ａ及び他端部７１ｂと一対の係止部７６とをそれぞれ繋いだ一対の中間部７２と、を有している。【選択図】図３
2020017502.tif 000002
【特許請求の範囲】
【請求項１】
取付用物品と、天井に取り付けられた支持部材のバネ取付部に差し込まれる線バネと、前記取付用物品と前記線バネとを連結させる連結部材と、を備えた天井取付体であって、
前記線バネは、リング部と、該リング部から延びた一対のアーム部と、を有し、
前記取付用物品は、板部を有し、当該板部に上下方向に貫通した貫通孔が設けられており、
前記連結部材は、１本の針金が曲げられて構成されており、
前記連結部材は、前記リング部に通されるリング支持部と、前記針金の両端部分でそれぞれＬ字状に形成され、前記貫通孔の縁に係止する一対の係止部と、前記リング支持部の一端部及び他端部と前記一対の係止部とをそれぞれ繋いだ一対の中間部と、を有している
ことを特徴とする天井取付体。
【請求項２】
前記連結部材は、前記針金の両端の直線部分が一直線上に配置されており、前記リング支持部の一端部及び他端部が、前記一直線を含む１つの平面の両側に配置されている
ことを特徴とする請求項１に記載の天井取付体。
【請求項３】
前記貫通孔が長孔であり、
前記一対の係止部が、前記貫通孔の長手方向両端の縁に弾性接触して係止する
ことを特徴とする請求項１又は２に記載の天井取付体。
【発明の詳細な説明】
【技術分野】
【０００１】
本発明は、照明器具等の天井取付体に関するものである。
【背景技術】
【０００２】
照明器具のグローブや換気扇のカバーなどの取付用物品を、天井に取り付けられた支持部材に連結・固定するため、図１１に示す線バネ６が用いられている（例えば特許文献１を参照）。線バネ６は、１本の針金が曲げられて構成されており、リング部６１と、該リング部６１から延びた一対のアーム部６２と、を有している。この線バネ６は、図１１に示す第１の金具３０７及び第２の金具３０８が用いられて取付用物品３０５に連結される。
【０００３】
第１の金具３０７は、一枚の金属板にプレス加工が施されて得られるものであり、リング部６１に通されるリング支持部３７１と、取付用物品３０５に設けられた貫通孔３５６に係止する係止部３７６と、を有している。第２の金具３０８は、金属板がＵ字状に曲げられて構成されている。図１１に示す取付用物品３０５は照明器具のグローブであり、上端に位置する円筒部３５４に水平方向に貫通した貫通孔３５６が設けられている。
【０００４】
上述した線バネ６を取付用物品３０５に連結させる手順は、以下のとおりである。まず、第１の金具３０７のリング支持部３７１を弾性変形させて線バネ６のリング部６１に通す。次に、図１２に示すように、係止部３７６を弾性変形させて貫通孔３５６に係止させる。そして、図１３に示すように、Ｕ字状の第２の金具３０８で貫通孔３５６の縁と係止部３７６とを挟み、第１の金具３０７を円筒部３５４に固定する。このような手順を経て線バネ６を取付用物品３０５に連結させる。
【先行技術文献】
【特許文献】
【０００５】
【特許文献１】特開２０１３−７３９２７号公報
【発明の概要】
【発明が解決しようとする課題】
【０００６】
上述した従来の取付用物品３０５と線バネ６との連結構造においては、二つの金具３０７，３０８を用いる必要があり、部品点数が多くなるとともに、連結作業及び分解作業に時間と手間を要するという問題があった。
【０００７】
本発明は、上述した問題に鑑みてなされたものであり、部品点数を少なくでき、取付用物品と線バネとの連結作業及び分解作業を容易に行うことができる天井取付体を提供することを目的としている。
【課題を解決するための手段】
【０００８】
本発明は、取付用物品と、天井に取り付けられた支持部材のバネ取付部に差し込まれる線バネと、前記取付用物品と前記線バネとを連結させる連結部材と、を備えた天井取付体であって、前記線バネは、リング部と、該リング部から延びた一対のアーム部と、を有し、前記取付用物品は、板部を有し、当該板部に上下方向に貫通した貫通孔が設けられており、前記連結部材は、１本の針金が曲げられて構成されており、前記連結部材は、前記リング部に通されるリング支持部と、前記針金の両端部分でそれぞれＬ字状に形成され、前記貫通孔の縁に係止する一対の係止部と、前記リング支持部の一端部及び他端部と前記一対の係止部とをそれぞれ繋いだ一対の中間部と、を有していることを特徴とする天井取付体である。
【発明の効果】
【０００９】
本発明によれば、取付用物品の板部に上下方向に貫通した貫通孔が設けられており、連結部材は、１本の針金が曲げられて構成され、リング支持部と、一対の係止部と、一対の中間部と、を有しているので、この連結部材一つで線バネを取付用物品に連結させることができる。よって、部品点数を少なくでき、取付用物品と線バネとの連結作業及び分解作業を容易に行うことができる天井取付体を提供することができる。
【図面の簡単な説明】
【００１０】
【図１】本発明の一実施形態にかかる天井取付体としての天井取付用照明器具の斜視図である。
【図２】図１の天井取付用照明器具の分解図である。
【図３】図２の一方の連結部材をグローブから分離させた状態を示す斜視図である。
【図４】図３の連結部材を線バネのリング部に通す方法を説明する説明図である。
【図５】図３の連結部材をグローブの貫通孔に係止させる方法を説明する説明図である。
【図６】図３の連結部材の斜視図である。
【図７】図６の連結部材の正面図である。
【図８】図６の連結部材の平面図である。
【図９】図６の連結部材の底面図である。
【図１０】図６の連結部材の側面図である。
【図１１】従来の取付用物品と線バネとの連結構造を示す説明図である。
【図１２】図１１の第１の金具を取付用物品の貫通孔に係止させる方法を説明する説明図である。
【図１３】図１１の第２の金具を用いて第１の金具を固定する方法を説明する説明図である。
【発明を実施するための形態】
【００１１】
本発明の一実施形態にかかる「天井取付体」を図１〜１０を参照して説明する。図１は、「天井取付体」としての「天井取付用照明器具１」を示す斜視図である。
【００１２】
この天井取付用照明器具１は、浴室の天井に嵌め込まれて使用されるものである。この天井取付用照明器具１は、図２に示すように、光源２と、光源２が取り付けられるソケット８と、光源２に電源供給する電線１０と、光源２及びソケット８を収容した本体ケース３と、パッキン１１，１２と、本体ケース３に組み付けられるカバー９と、「取付用物品」としてのグローブ５と、グローブ５を本体ケース３に固定するための一対の線バネ６と、グローブ５と線バネ６とを連結させる一対の連結部材７と、を備えている。
【００１３】
ソケット８は、筒状に形成されている。図２に示すように、ソケット８の上側から電線１０が挿入され、下側から光源２が挿入される。ソケット３は、本体ケース３の後述する第３凸部３３内に収容される。また、電線１０は、第３凸部３３の上面に設けられた開口部を通される。
【００１４】
本体ケース３（「支持部材」に相当する。）は、合成樹脂で構成されている。本体ケース３は、円板状の基部３０と、基部３０の中心部から上方に凸に形成された第１凸部３１と、第１凸部３１上面の中心部から上方に凸に形成された第２凸部３２と、第２凸部３２上面の中心部から上方に凸に形成された第３凸部３３と、を有している。
【００１５】
第１凸部３１は、基部３０よりも小径の中空円筒状に形成されている。第２凸部３２は、第１凸部３１よりも小径の中空円筒状に形成されている。第３凸部３３は、第２凸部３２よりも小径の中空円筒状に形成されている。基部３０の中心部即ち第１凸部３１の底面は開口している。同様に、第１凸部３１上面の中心部即ち第２凸部３２の底面も開口している。同様に、第２凸部３２上面の中心部即ち第３凸部３３の底面も開口している。即ち、第１凸部３１の内部と、第２凸部３２の内部と、第３凸部の内部と、は互いに連通している。
【００１６】
基部３０は、天井板に重ねられ、ネジによって天井板に固定される。基部３０の上面には環状のパッキン１１が取り付けられる。このパッキン１１は、天井板と基部３０との間をシールする。基部３０の下面には環状のパッキン１２が取り付けられる。このパッキン１２は、基部３０とグローブ５との間をシールする。
【００１７】
第１凸部３１は、天井板に形成された孔に嵌め込まれる。即ち、基部３０よりも上の部分は、天井裏に配置される。第１凸部３１の上面には、線バネ６が通される挿通孔３６（「バネ取付部」に相当する。）が設けられている。本例においては、線バネ６が一対用いられているので、挿通孔３６は、第１凸部３１の上面の二箇所に設けられている。
【００１８】
カバー９は、第３凸部３３を覆い、かつ、電線１０を第３凸部３３の側面に沿って下向きにガイドするためのものである。カバー９は、合成樹脂によってカップ状に形成されている。
【００１９】
グローブ５は、光源２を覆い、光源２から発せられる光を拡散させるためのものであり、透光性の合成樹脂で構成されている。グローブ５は、浴室内に配置される。グローブ５は、グローブフロント５０と、グローブリア５１との二部材が接着又は溶着されて構成されている。
【００２０】
グローブフロント５０は、椀状に形成されている。グローブフロント５０は、グローブ５の底部を構成する。
【００２１】
グローブリア５１は、図３に示すように、グローブ５の側面を構成する円筒状の周壁５２と、上面５３と、円筒部５４と、板部５５と、を一体に有している。グローブフロント５０は、周壁５２の下端の開口部を覆う。上面５３は、グローブフロント５０と対向する。上面５３は、本体ケース３の基部３０に重ねられる。円筒部５４は、上面５３の中心部から立設している。上面５３の中心部は開口しており、円筒部５４の内部と周壁５２の内部とは互いに連通している。円筒部５４は、本体ケース３の第１凸部３１内に位置付けられる。板部５５は、円筒部５４の上端と交差しており、円筒部５４の上端の開口部を一部覆っている。板部５５は、円筒部５４の中心を互いの間に位置付ける二箇所に形成されている。また、各板部５５には、連結部材７が係止する貫通孔５６が設けられている。
【００２２】
貫通孔５６は、板部５５を上下方向に貫通している。貫通孔５６は、細長い長孔として形成されている。貫通孔５６は、一方の板部５５から他方の板部５５に向かう方向と直交する方向に延びている。貫通孔５６がこの方向に延びているのは、一対の板部５５間の間隔を狭めないようにするためである。一対の板部５５間には光源２が位置付けられる。また、貫通孔５６が板部５５を上下方向に貫通しているので、グローブリア５１の成形金型は、上下方向に開閉する上型と下型のみの簡便な構成とすることができる（図１１に示す貫通孔３５６を形成する場合は、水平方向にスライドするスライドコアが必要である。）。
【００２３】
グローブ５は、連結部材７によって一対の線バネ６と連結され、これら一対の線バネ６が本体ケース３の挿通孔３６に通されて該挿通孔３６に引っ掛かることにより、図１に示すように本体ケース３に固定される。
【００２４】
線バネ６は、照明器具のグローブや換気扇のカバーなどを、天井に取り付けられた支持部材に連結・固定する際に一般的に用いられる周知の部品であり、１本の針金が曲げられて構成されている。この線バネ６は、リング部６１と、該リング部６１から延びた一対のアーム部６２と、を有している。アーム部６２の先端部６３は、丸く曲げられている。
【００２５】
連結部材７は、図６〜１０に示すように、１本の針金が曲げられて構成されている。連結部材７は、線バネ６のリング部６１に通されるリング支持部７１と、針金の両端部分でそれぞれＬ字状に形成され、貫通孔５６の縁に係止する一対の係止部７６と、リング支持部７１の一端部７１ａ及び他端部７１ｂと一対の係止部７６とをそれぞれ繋いだ一対の中間部７２と、を有している。
【００２６】
リング支持部７１は、図１０に示すように、側面視においてＣ字状に曲げられており、一端部７１ａ及び他端部７１ｂは離間している。すなわち、図６，９に示すように、一端部７１ａと他端部７１ｂとの間には隙間Ｓが存在している。
【００２７】
一対の中間部７２は、リング支持部７１の一端部７１ａ及び他端部７１ｂから互いに離れる方向に延び、途中の部分７２ａにおいて曲げられている。
【００２８】
一対の係止部７６は、一対の中間部７２から互いに平行に延びた平行部分７３と、各平行部分７３から互いに離れる方向に延びた直線部分７４と、を有している。直線部分７４は、図６，９に一点鎖線で示す一直線Ｌ上に配置されている。また、本例では、一方の係止部７６の平行部分７３及び直線部分７４と、他方の係止部７６の平行部分７３及び直線部分７４と、が同一平面（一直線Ｌを含む平面）上に位置する。そして、リング支持部７１の一端部７１ａ及び他端部７１ｂが、この平面の両側に配置されている。
【００２９】
また、本例において、一対の係止部７６は、貫通孔５６の長手方向両端の縁に弾性接触して係止する。詳細には、各係止部７６の平行部分７３が貫通孔５６の内面に弾性接触し、直線部分７４が板部５５の下面に沿う格好で係止する。即ち、連結部材７は、力が加えられていない自然状態において、一対の平行部分７３の外側面間の距離ｄ（図７に示す）が、貫通孔５６の長手方向の寸法よりも大きく形成されている。
【００３０】
次に、線バネ６をグローブ５に連結させる手順を説明する。まず、図４中に矢印で示すように、連結部材７の一方の直線部分７４を線バネ６のリング部６１に通し、続いてリング部６１をリング支持部７１まで斜め上に移動させる。この際、一端部７１ａと他端部７１ｂとの間には隙間Ｓが存在しているので、線バネ６及び連結部材７を一切弾性変形させることなく作業することができる。こうして線バネ６に連結部材７を取り付ける。そして、図５中に矢印で示すように、一対の係止部７６を指で挟むなどしてこれらを互いに近付く方向に弾性変形させて貫通孔５６に通し、直線部分７４が貫通孔５６を通過した後に指を離すなどして一対の係止部７６を開放し、これら係止部７６を貫通孔５６の縁に係止させる。こうして線バネ６をグローブ５に連結させる。
【００３１】
また、線バネ６をグローブ５から外す際は、一対の係止部７６を互いに近付く方向に弾性変形させて貫通孔５６から引き抜くだけで外すことができる。このように、線バネ６及び連結部材７をグローブ５から容易に外すことができるので、グローブ５の清掃を効率的に行うことができる。
【００３２】
上記構成の天井取付用照明器具１は、連結部材７一つで線バネ６をグローブ５に連結させることができる。このように、本発明によれば、部品点数を少なくでき、グローブ５と線バネ６との連結作業及び分解作業を容易に行うことができる天井取付用照明器具１を提供することができる。
【００３３】
上述した実施形態では、「取付用物品」が照明器具のグローブ５である場合について説明したが、「取付用物品」はグローブに限らず、換気扇のカバー等であってもよい。
【００３４】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３５】
１  天井取付用照明器具（天井取付体）
５  グローブ（取付用物品）
６  線バネ
７  連結部材
５５  板部
５６  貫通孔
６１  リング部
６２  アーム部
７１  リング支持部
７２  中間部
７６  係止部
【図１】
2020017502.tif 000003
【図２】
2020017502.tif 000004
【図３】
2020017502.tif 000005
【図４】
2020017502.tif 000006
【図５】
2020017502.tif 000007
【図６】
2020017502.tif 000008
【図７】
2020017502.tif 000009
【図８】
2020017502.tif 000010
【図９】
2020017502.tif 000011
【図１０】
2020017502.tif 000012
【図１１】
2020017502.tif 000013
【図１２】
2020017502.tif 000014
【図１３】
2020017502.tif 000015